(57)【要約】【課題】イメージング用のデータ収集とほぼ同時かつ直接的にイメージングの対象となる部位から動き量の観測に十分な動き信号を収集し、より精度よく動き補正した画像を得ることが可能な磁気共鳴イメージング装置および磁気共鳴イメージング装置における撮影条件設定方法である。【解決手段】磁気共鳴イメージング装置は、被検体からの磁気共鳴信号をイメージング信号として取得するイメージング信号収集手段と、イメージング信号よりも少ない位相エンコード量の磁気共鳴信号を複数回に亘って動き信号として取得する動き信号収集手段と、動き信号を用いて動き量を求める動き量決定手段と、動き量に基づいてイメージング信号の補正処理を実行する動き補正手段と、補正処理後のイメージング信号から画像を再構成する画像再構成手段とを有する。【選択図】  図４
2007229443.tif 000002
【特許請求の範囲】
【請求項１】
被検体からの磁気共鳴信号をイメージング信号として取得するイメージング信号収集手段と、
前記イメージング信号よりも少ない位相エンコード量の磁気共鳴信号を複数回に亘って動き信号として取得する動き信号収集手段と、
前記動き信号を用いて動き量を求める動き量決定手段と、
前記動き量に基づいて前記イメージング信号の補正処理を実行する動き補正手段と、
前記補正処理後のイメージング信号から画像を再構成する画像再構成手段と、
を有することを特徴とする磁気共鳴イメージング装置。
【請求項２】
被検体からの磁気共鳴信号をイメージング信号として取得するイメージング信号収集手段と、
前記イメージング信号よりも少ない位相エンコード量の磁気共鳴信号および前記イメージング信号の一部を動き信号として取得する動き信号収集手段と、
前記動き信号を用いて動き量を求める動き量決定手段と、
前記動き量に基づいて前記イメージング信号の補正処理を実行する動き補正手段と、
前記補正処理後のイメージング信号から画像を再構成する画像再構成手段と、
を有することを特徴とする磁気共鳴イメージング装置。
【請求項３】
被検体からの磁気共鳴信号をイメージング信号として取得するイメージング信号収集手段と、
前記イメージング信号よりも少ない位相エンコード量の磁気共鳴信号を複数回に亘って動き信号として取得する動き信号収集手段と、
前記動き信号を用いて動き量を求める動き量決定手段と、
前記動き量に基づいて特定の範囲のイメージング信号を選択する選択手段と、
前記特定の範囲のイメージング信号から画像を再構成する画像再構成手段と、
を有することを特徴とする磁気共鳴イメージング装置。
【請求項４】
前記動き信号から動きを反映した信号成分を得る動き反映成分取得手段をさらに備え、
前記動き量決定手段は、前記動きを反映した信号成分から前記動き量を求めるように構成されることを特徴とする請求項１ないし３のいずれか１項に記載の磁気共鳴イメージング装置。
【請求項５】
前記動き量決定手段は、異なるタイミングで収集された同一部位からの動き信号を用いて前記動き量を求めるように構成されることを特徴とする請求項１ないし３のいずれか１項に記載の磁気共鳴イメージング装置。
【請求項６】
前記動き信号収集手段は、２軸方向にエンコードして前記動き信号を取得するように構成されることを特徴とする請求項１ないし３のいずれか１項に記載の磁気共鳴イメージング装置。
【請求項７】
前記動き信号収集手段は、前記イメージング信号を収集するイメージングスラブと同一のスラブから前記動き信号を取得するように構成されることを特徴とする請求項１ないし３のいずれか１項に記載の磁気共鳴イメージング装置。
【請求項８】
前記動き信号収集手段は、前記被検体の体軸方向をリードアウト方向として前記動き信号を取得するように構成されることを特徴とする請求項１ないし３のいずれか１項に記載の磁気共鳴イメージング装置。
【請求項９】
動き信号収集手段は、前記イメージング信号の収集前後において前記動き信号を収集するように構成されることを特徴とする請求項１ないし３のいずれか１項に記載の磁気共鳴イメージング装置。
【請求項１０】
前記位相エンコード量を含む前記動き信号を取得するための撮影条件を設定するための撮影条件設定手段をさらに備えることを特徴とする請求項１ないし３のいずれか１項に記載の磁気共鳴イメージング装置。
【請求項１１】
前記動き信号収集手段は、前記動き信号の取得用のエンコードパルスのステップ量が次第に小さくなるように前記動き信号の取得用のシーケンスを設定するように構成される一方、前記イメージング信号収集手段は前記イメージング信号の取得用のエンコードパルスのステップ量が次第に大きくなるように前記イメージング信号の取得用のシーケンスを設定するように構成されることを特徴とする請求項１ないし３のいずれか１項に記載の磁気共鳴イメージング装置。
【請求項１２】
前記動き信号収集手段は、前記イメージング信号を収集するイメージングスラブと異なる方向に、前記イメージングスラブとによって形成される矩形領域に前記動き量の検出対象となる部位が含まれるように前記動き信号を収集するスラブを設定し、前記イメージング信号の取得用のシーケンスに続く前記動き信号の収集用の前記シーケンスによって前記矩形領域から前記動き信号を取得するように構成されることを特徴とする請求項１ないし３のいずれか１項に記載の磁気共鳴イメージング装置。
【請求項１３】
前記動き補正手段は、線形の伸縮補正を含めて前記補正処理を実行するように構成されることを特徴とする請求項１または２記載の磁気共鳴イメージング装置。
【請求項１４】
前記動き反映成分取得手段は、前記動き信号を再構成して複数の領域における再構成データを生成し、前記複数の領域のうち呼吸性の動きを呈する領域における再構成データのプロファイルを前記動きを反映した信号成分として求めるように構成されることを特徴とする請求項４記載の磁気共鳴イメージング装置。
【請求項１５】
前記動き反映成分取得手段は、前記動き信号を再構成して複数の領域における再構成データを生成し、前記複数の領域における再構成データにそれぞれ重み付けを行った後、エンコード方向に逆再構成処理したデータを前記エンコード方向に加算することによって得られる再構成データのプロファイルを前記動きを反映した信号成分として求めるように構成されることを特徴とする請求項４記載の磁気共鳴イメージング装置。
【請求項１６】
被検体からの磁気共鳴信号をイメージング信号として取得するためのイメージング用のシーケンスを設定するステップと、
前記イメージング信号よりも少ない位相エンコード量の磁気共鳴信号を複数回に亘って動き信号として取得するためのシーケンスを設定するステップと、
を有することを特徴とする磁気共鳴イメージング装置における撮影条件設定方法。
【発明の詳細な説明】
【技術分野】
【０００１】
本発明は、静磁場中に形成された撮像領域に傾斜磁場を形成するとともに高周波信号を送信することにより撮影領域にセットされた被検体の原子核スピンを磁気的に共鳴させ、励起により生じた核磁気共鳴信号を利用して被検体の画像を再構成する磁気共鳴イメージング装置および磁気共鳴イメージング装置における撮影条件設定方法に係り、特に、画像に対する被検体の動きの影響を補正により低減させる磁気共鳴イメージング装置および磁気共鳴イメージング装置における撮影条件設定方法に関する。
【背景技術】
【０００２】
磁気共鳴イメージング（ＭＲＩ：Magnetic Resonance Imaging）装置は、静磁場を形成する筒状の静磁場用磁石内部にセットされた被検体の撮像領域に傾斜磁場コイルで傾斜磁場を形成するとともに高周波（ＲＦ：Radio Frequency）コイルからＲＦ信号を送信することにより被検体内の原子核スピンを磁気的に共鳴させ、励起により生じた核磁気共鳴（ＮＭＲ：Nuclear Magnetic Resonance）信号を利用して被検体の画像を再構成する装置である。
【０００３】
この磁気共鳴イメージング装置を用いた磁気共鳴イメージング法による心臓の画像化は近年ますます進化している。心臓の画像化における代表的な応用として冠動脈の血管像の高分解能イメージングがある。冠動脈の高分解能イメージングでは、画像に対する呼吸性の動きの影響をできる限り小さくすることが求められる。
【０００４】
呼吸性の動きの影響を低減させる対策の１つとして呼吸を止めて撮影を行う息止め撮影が挙げられる。しかしながら、息止め撮影では、撮影が息止め期間内に限定されるため、分解能に限界がある。また、息止めの安定度が懸念される。
【０００５】
呼吸性の動きの影響を低減させる他の方法として、自由呼吸下で同期撮影を併用する技術が挙げられる。同期撮影に用いられる同期信号は被検体の腹部の周りに設置した伸縮センサや圧力センサにより取得することができる。しかしながら、伸縮センサや圧力センサにより得られた同期信号を用いた同期撮像法では精度が不十分であるという問題がある。
【０００６】
そこで、伸縮センサや圧力センサを用いた同期撮像法に代わる別の方法として、横隔膜からのＮＭＲ信号から検出した横隔膜の位置を同期信号として用いる同期撮像法や（例えば非特許文献１参照）、動きのある撮影部位の位置情報をイメージング用のＮＭＲ信号収集の際における制御に反映し、励起するスライスの位置を微調整する撮像方法が提案されている。
【０００７】
図２２は、従来の磁気共鳴イメージング装置において、横隔膜の動きを検出するためにＮＭＲ信号を取得する領域を説明する図であり、図２３は、図２２に示す従来の動き検出用のデータとイメージング用のデータとを収集するための撮影条件を規定するパルスシーケンスを示す図である。
【０００８】
横隔膜の位置を同期信号として用いる同期撮像法では、図２２の実線枠に示すように、心臓を含むイメージング用のデータの収集領域とは別に、点線枠で示すような横隔膜を含む円柱上の領域が動き検出用のデータの収集領域として設定される。
【０００９】
そして、図２３に示すようなパルスシーケンスにより撮像が実行される。一般的なパルスシーケンスでは、脂肪抑制パルスなどのプリパルスが併用されることが多く、イメージング用のシーケンスに先立って、プリパルスを印加するためのシーケンスが設定される。そして、プリパルス用のシーケンスに先立って、動き検出用のシーケンスが設定される。
【００１０】
また、イメージング用のデータの収集に必要な情報やデータの後処理に必要なデータを取得するためのダミーショット（スタビライゼーションショットとも言う）を印加するためのシーケンスがイメージング用のデータ収集の開始時に設定される。通常、ダミーショットのスライス方向は、スピンのスタビライゼーションを実現する趣旨からイメージング用のデータ収集と同様に、アキシャル断面とされる。
【００１１】
そして、動き検出用のシーケンスに従って、横隔膜を含む動き検出用のデータの収集領域がイメージング用の領域の励起方法とは異なる特別な条件で励起される。さらに、横隔膜を含む収集領域から動き検出用のデータが取得され、ｎａｖｉｇａｔｏｒと呼ばれる信号が生成される。次にｎａｖｉｇａｔｏｒ信号から横隔膜の位置が検出され、横隔膜の位置の変化量に応じてイメージングの際におけるハードウェアの制御方法やイメージング用のデータ収集の採否が決定される。また、イメージング用のデータの動き補正に必要な心臓の呼吸性移動量は、横隔膜の移動量に一定比率を乗じて算出される。
【００１２】
このような、イメージング用のシーケンスとは異なる動き検出用のシーケンスを、同期信号を得るためのｎａｖｉｇａｔｏｒ信号の収集用に用いるｎａｖｉｇａｔｏｒ法は、様々な技術に応用されている。
【００１３】
しかしながら、イメージング用のデータ収集条件と異なる条件でｎａｖｉｇａｔｏｒ信号を収集するｎａｖｉｇａｔｏｒ法には大きな問題が２つ存在する。
【００１４】
第１の問題は、イメージングの対象となる部位（心臓）の呼吸性による移動量と、ｎａｖｉｇａｔｏｒ信号によって観測される部位（横隔膜）の移動量は、関連があるものの、全く同一ではないことである。このため、心臓の移動量は横隔膜の移動量から推測されることになり、精度を低下させる要因になっている。また、心臓の呼吸性移動量と横隔膜の移動量との比率には個人差があり、かつ同一の被検体であっても呼吸の状態に依存して変化するため、安定した画像を得るのが困難となっている。
【００１５】
第２の問題は、横隔膜からの信号を検出するタイミングと、イメージング用の信号を検出するタイミングが大きく異なることである。プリパルスの印加とプリパルスの印加に続いて実行されるイメージング用のデータ収集は連続的に行われる必要がある。したがって、ｎａｖｉｇａｔｏｒ信号を収集するためのシーケンス（ｎａｖｉｇａｔｏｒシーケンス）に従ってｎａｖｉｇａｔｏｒ信号を収集するタイミングはイメージング用のシーケンスに従ってデータ収集を行うタイミングから時間的に離れざるをえない。そして、このｎａｖｉｇａｔｏｒ信号を収集するタイミングの、イメージング用のデータ収集のタイミングからのシフトは、被検体の呼吸周期が比較的短い場合において、精度の低下要因となっている。
【００１６】
これに対し、横隔膜の動きを検出する別の方法として、イメージング用のパルスシーケンスを用いてイメージング用のデータ収集中にｎａｖｉｇａｔｏｒ信号も生成する方法が提案されている（例えば非特許文献２参照）。
【００１７】
このイメージング用のデータ収集中にｎａｖｉｇａｔｏｒ信号を生成する技術は、スピンエコー（spin echo）シーケンスにおいて複数のエコー信号を発生させ、発生させたエコー信号の１つをｎａｖｉｇａｔｏｒ信号として利用するものである。この技術によれば、リードアウト方向および位相エンコード方向の動き情報を観測することが可能である。そして、この技術には、ｎａｖｉｇａｔｏｒ信号とイメージング用の信号がほぼ同じタイミングで収集できるという利点に加え、イメージングの対象となる部位と同じ部位、すなわち心臓における動きを観測できるという利点がある。
【非特許文献１】Liu et al. "Magnetic Resonance In Medicine誌",３０巻、５０７−５１１ページ（１９９３年）
【非特許文献２】Ehman, Felmee "Radiology誌、１７３巻、２５５−２６３ページ（１９８９年）
【発明の開示】
【発明が解決しようとする課題】
【００１８】
従来のイメージング用のデータ収集中にｎａｖｉｇａｔｏｒ信号を生成する技術では、実用上十分な精度で動きを観測するのが困難であるという問題がある。この精度不足という問題は、ｎａｖｉｇａｔｏｒ信号が被検体からのデータをある特定の方向へ投影したデータであるということに起因している。すなわち、ｎａｖｉｇａｔｏｒ信号は、特定の方向への投影情報であるため、実際には動いていない部位からのデータと動いている部位からのデータとを重ね合わせたデータとなる。従って、ｎａｖｉｇａｔｏｒ信号は、動いていない部分の影響を受けているということになる。
【００１９】
例えば、胸腹部では体表脂肪や胸壁、背筋などが動いていない。しかし、これらの動かない部位は肝臓など動いている部位よりも受信コイルに近いため、動かない部位からの信号強度は、動いている部位からの信号強度に比べて比較的大きい。したがって、動きの検出精度は、動かない部位の影響を受け易く、特に高分解能撮影のように高い精度を要求される撮影の場合においては動きの検出精度に対する動かない部位の影響が問題となっている。
【００２０】
本発明はかかる従来の事情に対処するためになされたものであり、イメージング用のデータ収集とほぼ同時かつ直接的にイメージングの対象となる部位から動き量の観測に十分な動き信号を収集し、より精度よく動き補正した画像を得ることが可能な磁気共鳴イメージング装置および磁気共鳴イメージング装置における撮影条件設定方法を提供することを目的とする。
【００２１】
また、本発明の他の目的は、動かない部位の影響を低減させて、より精度よく動き補正した画像を得ることが可能な磁気共鳴イメージング装置および磁気共鳴イメージング装置における撮影条件設定方法を提供することである。
【課題を解決するための手段】
【００２２】
本発明に係る磁気共鳴イメージング装置は、上述の目的を達成するために、請求項１に記載したように、被検体からの磁気共鳴信号をイメージング信号として取得するイメージング信号収集手段と、前記イメージング信号よりも少ない位相エンコード量の磁気共鳴信号を複数回に亘って動き信号として取得する動き信号収集手段と、前記動き信号を用いて動き量を求める動き量決定手段と、前記動き量に基づいて前記イメージング信号の補正処理を実行する動き補正手段と、前記補正処理後のイメージング信号から画像を再構成する画像再構成手段とを有することを特徴とするものである。
【００２３】
また、本発明に係る磁気共鳴イメージング装置は、上述の目的を達成するために、請求項２に記載したように、被検体からの磁気共鳴信号をイメージング信号として取得するイメージング信号収集手段と、前記イメージング信号よりも少ない位相エンコード量の磁気共鳴信号および前記イメージング信号の一部を動き信号として取得する動き信号収集手段と、前記動き信号を用いて動き量を求める動き量決定手段と、前記動き量に基づいて前記イメージング信号の補正処理を実行する動き補正手段と、前記補正処理後のイメージング信号から画像を再構成する画像再構成手段とを有することを特徴とするものである。
【００２４】
また、本発明に係る磁気共鳴イメージング装置は、上述の目的を達成するために、請求項３に記載したように、被検体からの磁気共鳴信号をイメージング信号として取得するイメージング信号収集手段と、前記イメージング信号よりも少ない位相エンコード量の磁気共鳴信号を複数回に亘って動き信号として取得する動き信号収集手段と、前記動き信号を用いて動き量を求める動き量決定手段と、前記動き量に基づいて特定の範囲のイメージング信号を選択する選択手段と、前記特定の範囲のイメージング信号から画像を再構成する画像再構成手段とを有することを特徴とするものである。
【００２５】
また、本発明に係る磁気共鳴イメージング装置は、上述の目的を達成するために、請求項４に記載したように、前記動き信号から動きを反映した信号成分を得る動き反映成分取得手段をさらに備え、前記動き量決定手段は、前記動きを反映した信号成分から前記動き量を求めるように構成されることを特徴とするものである。
【００２６】
また、本発明に係る磁気共鳴イメージング装置における撮影条件設定方法は、上述の目的を達成するために、請求項１６に記載したように、被検体からの磁気共鳴信号をイメージング信号として取得するためのイメージング用のシーケンスを設定するステップと、前記イメージング信号よりも少ない位相エンコード量の磁気共鳴信号を複数回に亘って動き信号として取得するためのシーケンスを設定するステップとを有することを特徴とするものである。
【発明の効果】
【００２７】
本発明に係る磁気共鳴イメージング装置および磁気共鳴イメージング装置における撮影条件設定方法においては、イメージング用のデータ収集とほぼ同時かつ直接的にイメージングの対象となる部位から動き量の観測に十分な動き信号を収集し、より精度よく動き補正した画像を得ることができる。
【００２８】
また、動かない部位の影響を低減させて、より精度よく動き補正した画像を得ることができる。
【発明を実施するための最良の形態】
【００２９】
本発明に係る磁気共鳴イメージング装置および磁気共鳴イメージング装置における撮影条件設定方法の実施の形態について添付図面を参照して説明する。
【００３０】
図１は本発明に係る磁気共鳴イメージング装置の第１の実施形態を示す構成図である。
【００３１】
図１に示す磁気共鳴イメージング装置２０は、静磁場を形成する筒状の静磁場用磁石２１と、この静磁場用磁石２１の内部に設けられたシムコイル２２、傾斜磁場コイルユニット２３およびＲＦコイル２４とを図示しないガントリに内蔵した構成である。
【００３２】
また、磁気共鳴イメージング装置２０には、制御系２５が備えられる。制御系２５は、静磁場電源２６、傾斜磁場電源２７、シムコイル電源２８、送信器２９、受信器３０、シーケンスコントローラ３１およびコンピュータ３２を具備している。制御系２５の傾斜磁場電源２７は、Ｘ軸傾斜磁場電源２７ｘ、Ｙ軸傾斜磁場電源２７ｙおよびＺ軸傾斜磁場電源２７ｚで構成される。また、コンピュータ３２には、入力装置３３、表示装置３４、演算装置３５および記憶装置３６が備えられる。
【００３３】
静磁場用磁石２１は静磁場電源２６と接続され、静磁場電源２６から供給された電流により撮像領域に静磁場を形成させる機能を有する。尚、静磁場用磁石２１は超伝導コイルで構成される場合が多く、励磁の際に静磁場電源２６と接続されて電流が供給されるが、一旦励磁された後は非接続状態とされるのが一般的である。また、静磁場用磁石２１を永久磁石で構成し、静磁場電源２６が設けられない場合もある。
【００３４】
また、静磁場用磁石２１の内側には、同軸上に筒状のシムコイル２２が設けられる。シムコイル２２はシムコイル電源２８と接続され、シムコイル電源２８からシムコイル２２に電流が供給されて静磁場が均一化されるように構成される。
【００３５】
傾斜磁場コイルユニット２３は、Ｘ軸傾斜磁場コイル２３ｘ、Ｙ軸傾斜磁場コイル２３ｙおよびＺ軸傾斜磁場コイル２３ｚで構成され、静磁場用磁石２１の内部において筒状に形成される。傾斜磁場コイルユニット２３の内側には寝台３７が設けられて撮像領域とされ、寝台３７には被検体Ｐがセットされる。ＲＦコイル２４はガントリに内蔵されず、寝台３７や被検体Ｐ近傍に設けられる場合もある。
【００３６】
また、傾斜磁場コイルユニット２３は、傾斜磁場電源２７と接続される。傾斜磁場コイルユニット２３のＸ軸傾斜磁場コイル２３ｘ、Ｙ軸傾斜磁場コイル２３ｙおよびＺ軸傾斜磁場コイル２３ｚはそれぞれ、傾斜磁場電源２７のＸ軸傾斜磁場電源２７ｘ、Ｙ軸傾斜磁場電源２７ｙおよびＺ軸傾斜磁場電源２７ｚと接続される。
【００３７】
そして、Ｘ軸傾斜磁場電源２７ｘ、Ｙ軸傾斜磁場電源２７ｙおよびＺ軸傾斜磁場電源２７ｚからそれぞれＸ軸傾斜磁場コイル２３ｘ、Ｙ軸傾斜磁場コイル２３ｙおよびＺ軸傾斜磁場コイル２３ｚに供給された電流により、撮像領域にそれぞれＸ軸方向の傾斜磁場Ｇｘ、Ｙ軸方向の傾斜磁場Ｇｙ、Ｚ軸方向の傾斜磁場Ｇｚを形成することができるように構成される。
【００３８】
ＲＦコイル２４は、送信器２９および受信器３０と接続される。ＲＦコイル２４は、送信器２９から高周波信号を受けて被検体Ｐに送信する機能と、被検体Ｐ内部の原子核スピンの高周波信号による励起に伴って発生したＮＭＲ信号を受信して受信器３０に与える機能を有する。
【００３９】
一方、制御系２５のシーケンスコントローラ３１は、傾斜磁場電源２７、送信器２９および受信器３０と接続される。シーケンスコントローラ３１は傾斜磁場電源２７、送信器２９および受信器３０を駆動させるために必要な制御情報、例えば傾斜磁場電源２７に印加すべきパルス電流の強度や印加時間、印加タイミング等の動作制御情報を記述したシーケンス情報を記憶する機能と、記憶した所定のシーケンスに従って傾斜磁場電源２７、送信器２９および受信器３０を駆動させることによりＸ軸傾斜磁場Ｇｘ、Ｙ軸傾斜磁場Ｇｙ，Ｚ軸傾斜磁場Ｇｚおよび高周波信号を発生させる機能を有する。
【００４０】
また、シーケンスコントローラ３１は、受信器３０におけるＮＭＲ信号の検波およびＡ／Ｄ変換により得られた複素データである生データ（raw data）を受けてコンピュータ３２に与えるように構成される。
【００４１】
このため、送信器２９には、シーケンスコントローラ３１から受けた制御情報に基づいて高周波信号をＲＦコイル２４に与える機能が備えられる一方、受信器３０には、ＲＦコイル２４から受けたＮＭＲ信号を検波して所要の信号処理を実行するとともにＡ／Ｄ変換することにより、デジタル化された複素データである生データを生成する機能と生成した生データをシーケンスコントローラ３１に与える機能とが備えられる。
【００４２】
また、被検体ＰのＥＣＧ（electro cardiogram）信号を取得するためのＥＣＧユニット３８が被検体Ｐの近傍に設けられる。ＥＣＧユニット３８において検出されたＥＣＧ信号は、シーケンスコントローラ３１に出力される。そして、シーケンスコントローラ３１はＥＣＧ信号に同期して制御信号を傾斜磁場電源２７、送信器２９および受信器３０に与えることができるように構成される。
【００４３】
さらに、コンピュータ３２の記憶装置３６に保存されたプログラムを演算装置３５で実行することにより、コンピュータ３２には各種機能が備えられる。ただし、プログラムによらず、特定の回路を設けてコンピュータ３２を構成してもよい。
【００４４】
図２は、図１に示すコンピュータ３２の機能ブロック図である。
【００４５】
図２に示すようにコンピュータ３２は、プログラムにより撮影条件設定部４０、シーケンスコントローラ制御部４１、動き信号取得部４２、イメージング信号取得部４３、動き信号成分分離部４４、動き量決定部４５、動き補正部４６、画像再構成部４７として機能する。そして、これらの構成要素により、磁気共鳴イメージング装置２０には、被検体Ｐのイメージング用に加えて動き検出用のＮＭＲ信号を収集し、動き検出用のＮＭＲ信号から検出した動き情報に基づいて動き補正を施した画像を再構成する機能が備えられる。
【００４６】
撮影条件設定部４０は、表示装置３４に画像情報を与えることにより、表示装置３４に撮影条件を設定するための撮影条件設定画面を表示させる機能と、入力装置３３からの情報に従って撮影条件としてパルスシーケンスを生成する機能を有する。撮影条件設定画面の表示および情報の入力のためにＧＵＩ（Graphical User Interface）技術を用いることができる。また、撮影条件設定部４０は、生成したパルスシーケンスをシーケンスコントローラ制御部４１に与えるように構成される。
【００４７】
図３は、図２に示す撮影条件設定部４０により設定される撮影領域の一例を示す図である。
【００４８】
図３に示すようにイメージング用のＮＭＲ信号の収集領域（撮影領域）として例えば心臓を含む領域を設定し、心臓の血管像を撮像するための撮影条件を設定することができる。また、心臓の動きを検出するためのＮＭＲ信号（動き信号）を収集する領域も心臓を含む領域とすることができる。図３は、イメージング用のＮＭＲ信号の収集領域と動き信号の収集領域とを同一に設定した例、すなわち同一の励起領域からイメージング用のＮＭＲ信号および動き信号を収集する例を示している。
【００４９】
尚、イメージング用のＮＭＲ信号の収集領域は任意に設定することが可能であり、動き信号の収集領域は、動きの検出対象となる臓器や器官から直接動き信号を収集できる領域とされる。
【００５０】
図４は、図３に示す心臓を含む撮影領域を撮像するために生成されるパルスシーケンスの一例を示す図である。
【００５１】
図４に示すように撮影条件設定部４０により生成されるパルスシーケンスは、イメージング用のデータ収集用のシーケンスに先立って、脂肪抑制パルスなどのプリパルスを印加するためのシーケンスを設けて構成される。また、イメージング用のデータの収集に必要な情報やデータの後処理に必要なデータを取得するためのダミーショットを印加するためのシーケンスが作成される。ダミーショット用のシーケンスは、イメージング用のシーケンスに時間的により近い位置に設定される。図４では、ダミーショット用のシーケンスがイメージング用のデータ収集の開始時に設定されている。ただし、ダミーショットを印加する領域が、動きの検出対象となる臓器から直接動き信号を収集できる領域となるようにシーケンスが作成される。
【００５２】
ダミーショットのスライス方向（励起スラブの断面方向）は、アキシャル面、サジタル面、コロナル面その他のオブリーク断面など任意の面に設定することが可能であるが、動きが大きい方向に設定すれば、より少ないデータ量で精度よく動きを検出することが可能となる。このため、動き信号のデータ収集時間の短縮化に繋げることができる。従って、リードアウト（RO: readout）方向（周波数エンコード方向）を被検体Ｐの体軸方向とすることが望ましい。
【００５３】
図５は、図４に示すパルスシーケンスの具体例を示す図である。
【００５４】
図５において、ＲＦは高周波（ＲＦ）信号、Ｇssはスライス選択（Slice selection）用、すなわちスライスエンコード（SE: slice encode）方向の傾斜磁場パルス、Ｇpeは、位相エンコード（PE: phase encode）方向の傾斜磁場パルス、Ｇroは、リードアウト（readout）方向の傾斜磁場パルス、ＡＤＣは、デジタル化された受信信号(ACQ)、ＥＣＧは、ＥＣＧ信号を示す。尚、ここでいうエンコード方向はリードアウト方向に直交する２軸を指している。
【００５５】
図５に示すように、パルスシーケンスは、例えばパートＡ、パートＢおよびパートＣの３つのパートから構成される。パートＢは、イメージング用のデータ信号用のシーケンスであり、パートＡおよびパートＣが動き信号の検出用のシーケンスである。そして、動き信号収集用のダミーショットにおけるスライス方向およびイメージング用のデータ収集用のスライス方向がいずれも心臓を含むサジタル面に設定される。ただし、パートＡおよびパートＣのいずれか一方のみを動き信号の検出用のシーケンスとして設定してもよい。また、パートＡおよびパートＣの一方あるいは双方が２回以上繰り返されるようにパルスシーケンスを設定することもできる。
【００５６】
すなわち、動き信号は、イメージング用のデータ信号の収集前後のいずれにおいても収集することができる。ただし、動き信号をイメージング用のデータ信号の収集前後の双方において収集するようにすれば、動き信号を収集する時相を増やすことができる。そして、内挿や外挿といった補間処理によって時間変化を伴う動き信号データを得ることが可能となる。この結果、動き信号データの高精度化を図ることができる。
【００５７】
パートＡ、パートＢおよびパートＣは、例えばいずれもＳＳＦＰ（Steady-State Free Precession）と呼ばれるイメージング手法によるシーケンスとされる。ＳＳＦＰによれば、非常に短い繰り返し時間ＴＲ（repetition pulse）にてＲＦ信号を印加し、データ収集を実行することができる。従って、パートＡとパートＢとの間の時間差およびパートＢとパートＣとの間の時間差は十分に小さいということができる。つまり、ＴＲが小さいシーケンスによりイメージング用のデータ収集および動き信号の収集を行うようにすれば、イメージング用のデータ収集タイミングと動き信号の収集タイミングとを、ほぼ同時とみなすことができる。従って、イメージング用のデータ収集時における動きと動き信号の収集時における動きとが十分に同一とみなすことができる。
【００５８】
パートＡ、パートＢおよびパートＣは、ＥＣＧユニット３８において取得されたＥＣＧ信号に同期して反復実行される心電同期撮影のシーケンスである。イメージング用のシーケンスであるパートＢは位相エンコードパルスＰＥ（Ｂ）を順次変えながらリードアウトパルスにより３次元イメージング信号ＡＣＱ（Ｂ）を収集する、いわゆるセグメント撮影によるシーケンスである。従って、１心拍中における１つのイメージング用のシーケンスでは、部分的なイメージング用のデータが得られる。そして、複数心拍に亘ってイメージング用のデータ収集が反復実行されることによってイメージングに必要な全てのデータを収集することができる。つまり、イメージング用のデータは、セグメント撮影により複数回に分けて複数心拍間において収集される。
【００５９】
一方、動き信号の検出用のシーケンスであるパートＡおよびパートＣでは、位相エンコードパルスＰＥ（Ａ）、ＰＥ（Ｃ）を順次変えながらリードアウトパルスにより動き検出信号ＡＣＱ（Ａ）、ＡＣＱ（Ｃ）が収集される。動き信号の検出用のシーケンス（図５に示すシーケンスの例では、パートＡおよびパートＣ）による動き信号の収集は、イメージング用のシーケンスによるセグメント撮影が進行するたびに、すなわち１心拍ごとに毎回実行される。従って、各心拍においてそれぞれの動き信号の検出用のシーケンスにより必要なエンコード量の全ての動き信号が毎回収集される。このため、同一部位からの動き信号が異なるタイミングで間欠的に複数回に亘って取得されることとなる。従って、収集される動き信号には、より正確な呼吸性の動きの情報が含まれることになる。そして、同一部位から異なるタイミングで得られた動き信号から動き量をより正確に求めることが可能となる。
【００６０】
また、動き信号の検出用のシーケンスでは、必要な動き信号を選択的により短時間で収集できるようにイメージング用のシーケンスよりも位相エンコード量（位相エンコードのステップ数）が小さく設定される。ただし、動き信号の検出用のシーケンスにおける位相エンコード量はゼロではない。さらに、ダミーショット本来の収集目的となる情報が得られる撮影条件となるようにシーケンスが設定される。
【００６１】
例えば、ダミーショットでは、信号があるコントラストで得られるように４５°ＲＦパルスが印加されるようなシーケンスが設定され、ダミーショットにおいて収集された信号のコントラストから決定したコントラストでイメージング用のデータ収集が行われるように９０°ＲＦパルスが印加されるようなイメージング用のシーケンスが設定される。
【００６２】
また、動き信号の検出用のシーケンスにおけるエンコード方向は、スライスエンコード方向および位相エンコード方向の２軸方向に限らずスライスエンコード方向および位相エンコード方向のいずれか１軸方向としても良い。
【００６３】
そして、撮影条件設定部４０は、このような撮影条件を設定するための撮影条件設定画面を表示装置３４に表示させ、ユーザは入力装置３３の操作により撮影条件としてパルスシーケンスを生成できるように構成される。
【００６４】
図６は、図１に示す表示装置３４に表示される撮影条件設定画面の一例を示す図である。
【００６５】
図６の撮影条件設定画面の上部に示すようにＳＳＦＰシーケンスのダミーショット(Dummy shots)において動き信号を収集して動き補正(Motion Correction)を実行する機能のＯｎ／Ｏｆｆを切換えるボタンが表示される。このボタンをマウス等の入力装置３３の操作により押すと、ダミーショットにおいて収集した動き信号に基づく動き補正機能がオン状態となる。
【００６６】
また、ダミーショットにおける位相エンコード数（PE Matrix）、スライスエンコード数(SE Matrix)、ダミーショット数(Num of Dummy Shot)をスクロールバーの移動等の操作により任意に設定することができる。
【００６７】
さらに、撮影条件設定画面の下部には、動き補正に用いる動きモデル(Motion Model)を指定するためのLinear(SI)ボタンが設けられている。Linear(SI)ボタンを押すと、動き量の検出対象となる部位が動きにより線形変形したと仮定する動きモデルに従って動き補正を実行する補正モードが選択される。そして、線形の動きモデルを表す１次式の０次係数と、１次係数をスクロールバーの移動等の操作により任意に設定することができる。この動きモデルの詳細については後述する。
【００６８】
ところで、動き信号を検出するためのダミーショットに含まれる位相エンコードパルスは渦電流を発生させる。位相エンコードパルスは、通常異なる面積および極性で断続的に複数回に亘って印加されるため、発生する渦電流により磁化の振動が生じる。このため、ダミーショットにより生じる磁化の振動がイメージング用のデータ収集に影響を与え、再構成される画像にゴーストを生じさせる恐れがある。
【００６９】
そこで、ダミーショットにおいて生じる磁化の振動が小さく、かつイメージング用のデータ収集に対する磁化の振動の影響がより小さくなるようなパルスシーケンスを設定することにより、ゴーストの発生を抑制することができる。そのために、ダミーショットにおいて生じる磁化の振動が徐々に小さくなるようなシーケンスを設定することが望ましい。加えて、ダミーショットにおける最後の位相エンコードパルスと、それに続くイメージング用の最初の位相エンコードパルスとのステップ量（パルス強度の差）がより小さくなるようなシーケンスを設定することが望ましい。
【００７０】
図７は、図２に示す撮影条件設定部４０において、ダミーショットにより生じる磁化の振動およびイメージング用のデータ収集に対する磁化の振動の影響を低減させるために設定されたパルスシーケンスの具体例を示す図である。
【００７１】
図７に示すように、動き信号を収集するためのダミーショット用のシーケンスに続いてイメージング用のシーケンスが設定される場合について説明する。尚、ＲＦはＲＦ信号を、Ｇpeは位相エンコードパルスをそれぞれ示す。
【００７２】
まず、動き信号を検出するための位相エンコードパルスのステップ方向（印加方向）を、イメージング用の位相エンコードパルスのステップ方向と同一にする。そして、動き信号の検出用の位相エンコードパルスが、時間の経過とともに交互に極性を変えつつ次第にパルス強度が小さくなるようにダミーショット用のシーケンスを設定する。そうすると、ダミーショットにおいて生じる磁化の振動を滑らかに小さくしていくことができる。
【００７３】
また、ダミーショットにおける最後の位相エンコードパルスの極性とイメージング用の最初の位相エンコードパルスの極性とが同じで、かつステップ量（パルス強度Ｇpeの差）がより小さくなるようにイメージング用のシーケンスを設定する。そうすると、ダミーショットにおいて生じた磁化の振動のイメージング用のデータ収集に対する影響を低減させることができる。また、イメージング用のデータ収集においても、磁化の振動を滑らかに変化させるためには、時間の経過とともに交互に極性を変えつつ次第にパルス強度が大きくなるようにシーケンスを設定することが望ましいということになる。
【００７４】
従って、ダミーショットにおける位相エンコードパルスの極性とイメージング用の位相エンコードパルスの極性とが互いに逆向きであり、かつダミーショットにおける位相エンコードパルスの印加位置（データ収集位置）の順序とイメージング用の位相エンコードパルスの印加位置の順序も互いに逆方向となるようなパルスシーケンスが最適となる。そしてこのようなパルスシーケンスを撮影条件設定部４０が設定するように構成すれば、渦電流および磁化の変化を低減させて、安定した画質の画像を得ることが可能となる。
【００７５】
また、撮影条件設定部４０は、このように生成したパルスシーケンスをシーケンスコントローラ制御部４１に与えるように構成される。
【００７６】
シーケンスコントローラ制御部４１は、入力装置３３からの撮像開始指示に従って、撮影条件設定部４０から取得したパルスシーケンスをシーケンスコントローラ３１に与えることにより駆動制御させる機能と、シーケンスコントローラ３１から動き信号を受けて動き信号取得部４２に与える一方、シーケンスコントローラ３１からイメージング用の生データを受けてイメージング信号取得部４３に与える機能とを有する。
【００７７】
動き信号取得部４２は、シーケンスコントローラ制御部４１から動き信号を取得する機能と、取得した動き信号を動き信号取得部４２に設けられるｋ空間（波数空間あるいは周波数空間）に配置する機能を有する。
【００７８】
イメージング信号取得部４３は、シーケンスコントローラ制御部４１からイメージング用の生データをイメージング信号として取得する機能と、取得したイメージング信号をイメージング信号取得部４３に設けられるｋ空間に配置する機能とを有する。
【００７９】
図８は、図２に示す動き信号取得部４２のｋ空間に配置された動き信号の一例を示す図であり、図９は、図２に示すイメージング信号取得部４３のｋ空間に配置されたイメージング信号の一例を示す図である。
【００８０】
図８および図９の横軸は、ｋ空間の位相エンコード方向Ｋｐｅを示し、縦軸はスライスエンコード方向Ｋｓｅを示す。また図８の四角印は、動き信号Ｄｍを示し、図９の丸印はイメージング信号Ｄｉを示す。図８に示すようにダミーショットにおいても、エンコードパルスを印加して動き信号Ｄｍが収集される。
【００８１】
前述のように、動き信号Ｄｍは、１心拍ごとに収集され、更新されるデータである。図８は、位相エンコード方向およびスライスエンコード方向に２軸にエンコードパルスを印加して得られた動き信号Ｄｍの例であるが、前述のように１軸方向にエンコードパルスを印加して動き信号Ｄｍを収集してもよい。動き信号Ｄｍは、図５に示すパルスシーケンスにおいては、パートＡおよびパートＣにおいて収集される。
【００８２】
また、図９に示すイメージング信号Ｄｉは、図５に示すパルスシーケンスにおいては、パートＢにおいて収集される。イメージング信号Ｄｉは、セグメント撮影によって収集されるため、１心拍中の１つのシーケンスによって部分的に得られる。そして、複数心拍にまたがって実施される複数回のシーケンスによるデータ収集によって、全てのイメージング信号Ｄｉが収集される。
【００８３】
また、前述のように、動き信号Ｄｍのエンコード量、正確にはステップ数がイメージング信号Ｄｉのステップ数より少なく設定される。一方、動き信号Ｄｍのステップ量Ｓｍは、イメージング信号Ｄｉのステップ量Ｓｉと同一であっても良いし、異なっていても良い。ただし、より大きい器官の動きを精度良く検出するために、ｋ空間の中心付近における動き信号Ｄｍが優先的に収集される。
【００８４】
尚、磁化の振動およびその影響が低減されるように動き信号Ｄｍおよびイメージング信号Ｄｉを収集する場合には、ダミーショットにおいて最後に収集される動き信号Ｄｍのｋ空間上における位置がｋ空間の中心に近くなるように設定され、続いてイメージング用に最初に収集されるイメージング信号Ｄｉのｋ空間上における位置がダミーショットにおいて最後に収集される動き信号Ｄｍの位置になるべく近くなるように設定されこととなる。加えて、動き信号Ｄｍの収集方向とイメージング信号Ｄｉの収集方向とが互いに逆向きに設定されることとなる。
【００８５】
動き信号成分分離部４４は、動き信号取得部４２から動き信号を読み込んで、概ね動きを反映した信号成分と動きを反映していない成分とを分離する機能と、分離して得られた動きを反映した信号成分（動き反映成分）を動き量決定部４５に与える機能とを有する。動き信号成分分離部４４は、動き信号の分離のために、動き信号を公知の再構成手法（フーリエ変換）により再構成し、特定の空間位置（エンコード方向）のプロファイルデータを得ることができるように構成される。
【００８６】
図１０は、図２に示す動き信号成分分離部４４により分離された動き信号の領域を示す図である。
【００８７】
図１０に示すように、例えば心臓を含むサジタル面を励起スラブにとり、左右方向を位相エンコード（ＰＥ）方向、上下方向をスライスエンコード（ＳＥ）方向、紙面に垂直な方向となる被検体Ｐの体軸方向をリードアウト方向として動き信号が収集される。すなわち、前述のようにデータ収集時間を低減するために動き量が比較的大きい体軸方向がリードアウト方向とされている。従って、励起スラブはコロナル面でも良い。
【００８８】
ＰＥ方向およびＳＥ方向に４×４のエンコードパルスを加えて動き信号を収集し、収集した動き信号を再構成すると、４×４の領域に分割された体軸方向の各プロファイルを得ることができる。そして、各プロファイルのうち呼吸性の動きを呈する心臓付近の領域（斜線部）におけるプロファイルのみを動き反映成分として選択することができる。
【００８９】
動きを呈するプロファイルの選択方法としては、再構成された画像データの歪み量が無視できない程大きい部分のプロファイルを選択する方法が挙げられる。この場合、全てのプロファイル同士を比較して信号強度の変化が予め設定した閾値を超える程大きくなっているプロファイルを動き反映成分とすることができる。ただし、経験的に呼吸性の動きを呈していると推定される領域を予め指定しておき、単に指定した領域のプロファイルを動き反映成分とする方法によっても動きを呈するプロファイルを簡易に選択することができる。
【００９０】
図１１は、図１０に示す心臓付近の領域に対応するプロファイルの一例を示す図である。
【００９１】
図１１において横軸はリードアウト方向（体軸方向）の位置を示し、縦軸は動き信号の信号強度を示す。そして、図１１中の実線が、動き反映成分として選択されたプロファイルである。動き信号の収集は、前述のようにセグメント撮影が進行するたびに実行されるため、図１１に示すような動き反映成分もセグメント撮影が進行するたびに取得される。そして、セグメント撮影は心電同期撮影であるため、動き反映成分は間欠的に取得された呼吸性の動きの情報とみることができる。
【００９２】
そして、動き信号成分分離部４４により抽出された動き反映成分は動き量決定部４５に与えられる。
【００９３】
動き量決定部４５は、動き信号成分分離部４４から受けた動き反映成分に基いて動き量を決定する機能と、決定した動き量を動き補正部４６に与える機能とを有する。
【００９４】
図１２は、図２に示す動き量決定部４５による動き量の決定方法を説明する図である。
【００９５】
図１２の上部に示すように予め動き反映成分の基準プロファイル作成用のデータ収集が行われる。基準プロファイル作成用のデータ収集では、図１２（ａ）に示すＥＣＧ信号に同期して図１２（ｂ）に示すようなパートＡ、パートＢおよびパートＣを構成要素とするパルスシーケンスに従ってイメージング用のデータ収集とともに基準となる動き信号が収集される。そして、動き信号成分分離部４４は、収集された動き信号のうち図１２（ｃ）に示すような動き反映成分のプロファイルを基準プロファイルとする。
【００９６】
そして、イメージングの際には、図１２（ａ）に示すＥＣＧ信号に同期して図１２（ｂ）に示すようなパートＡ、パートＢおよびパートＣを構成要素とするパルスシーケンスに従って動き信号およびイメージング用のデータが複数回に亘って収集される。そして、図１２（ｃ）に示すようなＮ番目に収集された動き反映成分のプロファイル＃Ｎ、Ｎ＋１番目に収集された動き反映成分のプロファイル＃Ｎ＋１が動き信号成分分離部４４により順次得られる。
【００９７】
動き反映成分の基準プロファイル、プロファイル＃Ｎおよびプロファイル＃Ｎ＋１は、動き信号成分分離部４４から動き量決定部４５に与えられる。そうすると、動き量決定部４５は、図１２（ｄ）に示すような基準プロファイルの微分値とプロファイル＃Ｎの微分値との相互相関スペクトルおよび基準プロファイルの微分値とプロファイル＃Ｎ＋１の微分値との相互相関スペクトルを求める。そして、動き量決定部４５は、各相互相関スペクトルのピーク位置をそれぞれ検出し、検出した各ピーク位置の相対的な位置ずれ量Δｄ（Ｎ）、Δｄ（Ｎ＋１）をそれぞれＮ番目、Ｎ＋１番目のデータ収集における動き量として決定する。
【００９８】
動き量決定部４５により決定された各動き量Δｄ（Ｎ）、Δｄ（Ｎ＋１）を図１２（ｅ）に示すような呼吸レベルを示すデータ（点線）上に表すと、丸印のように示される。そして、このように決定された動き量は、動き量決定部４５から動き補正部４６に与えられるように構成される。
【００９９】
動き補正部４６は、動き量決定部４５から動き量を取得する一方、イメージング信号取得部４３からイメージング信号を取得し、動き量に基づいてイメージング信号を補正する機能と、補正後のイメージング信号を画像再構成部４７に与える機能とを有する。
【０１００】
図１３は、図２に示す動き補正部４６によるイメージング信号の補正方法を説明する図である。
【０１０１】
まず対象部位のリードアウト方向への平行移動の動きを補正する場合について説明する。図１３（ａ）に示すようにＥＣＧ信号を用いて心電図に同期して図１３（ｂ）に示すようなパートＡ、パートＢおよびパートＣを有するパルスシーケンスによるデータ収集が行われる。パートＢでは、セグメント撮影によりイメージング信号が収集され、図１３（ｃ）に示すようにイメージング信号取得部４３に形成されたｋ空間にマッピングされる。パートＢにおける１回のセグメント撮影では、例えば図１３（ｃ）に示すように点線で囲った範囲のイメージング信号が収集されてｋ空間の所定の位置に配置される。
【０１０２】
そして、あるセグメント撮影で収集されたイメージング信号のリードアウト方向および位相エンコード方向における分布は図１３（ｄ）のような分布となる。
【０１０３】
一方、イメージング信号とほぼ同時に収集された動き信号から算出された動き量がΔｄである場合には、動き補正部４６は図１３（ｅ）の実線に示すような位相シフト関数を作成する。図１３（ｅ）において縦軸は位相を示し、横軸はリードアウト方向の位置Ｋｒｏを示す。すなわち、動き補正部４６は、リードアウト方向の位相が動き量Δｄに比例する１次分布を有する位相シフト関数を作成する。
【０１０４】
そして、動き補正部４６は、リードアウト方向のイメージング信号と位相シフト関数との積をとる。尚、動き信号が基準プロファイル用の動き信号である場合には、動き量Δｄ＝０として考えればよい。この演算は、ｋ空間上の位置（Ｋｒｏ，Ｋｐｅ，Ｋｓｅ）におけるイメージング信号をＳ（Ｋｒｏ，Ｋｐｅ，Ｋｓｅ）とすると式（１）のような変換として表すことができる。  
［数１］
Ｓ(Ｋｒｏ，Ｋｐｅ，Ｋｓｅ)→Ｓ(Ｋｒｏ，Ｋｐｅ，Ｋｓｅ)・exp(-Δｄ・Ｋｒｏ)
……（１）
【０１０５】
このようにしてリードアウト方向の平行移動に関する動き補正をイメージング信号に対して行うことができる。さらに、平行移動のみならず線形の伸縮補正をイメージング信号に対して行うようにすることもできる。
【０１０６】
ある点Ｚのリードアウト方向への伸縮を伴う線形移動が１次係数αおよび０次係数βを用いて式（２−１）のように記述されるものとすると、イメージング信号Ｓのｋ空間上における移動は式（２−２）のように表される。  
［数２］
Ｚ→（１＋α）Ｚ＋β          ……（２−１）
Ｓ(Ｋｒｏ，Ｋｐｅ，Ｋｓｅ)
→Ｓ（（１＋α）Ｋｒｏ，Ｋｐｅ，Ｋｓｅ）・exp（−βＫＲＯ）  ……（２−２）
【０１０７】
式（２−２）から、線形の伸縮移動が存在する場合には、リードアウト方向のサンプリング位置が伸縮による動きのない場合に比べて一定の割合αだけ移動していることが分かる。従って、一定の割合αだけ移動したイメージング信号Ｓ（（１＋α）Ｋｒｏ，Ｋｐｅ，Ｋｓｅ）から本来のサンプリング位置（Ｋｒｏ，Ｋｐｅ，Ｋｓｅ）におけるイメージング信号Ｓ（Ｋｒｏ，Ｋｐｅ，Ｋｓｅ）を求めることが伸縮の補正になる。本来のサンプリング位置（Ｋｒｏ，Ｋｐｅ，Ｋｓｅ）におけるイメージング信号Ｓ（Ｋｒｏ，Ｋｐｅ，Ｋｓｅ）は、一定の割合αだけ移動したイメージング信号Ｓ（（１＋α）Ｋｒｏ，Ｋｐｅ，Ｋｓｅ）を用いた補間処理により求めることができる。
【０１０８】
また、式（２−１）におけるαとβの値は、動き量Δｄに依存してαおよびβが変化する１次の線形変形の動きモデルから決定することができる。動きモデルの係数については、実測（実際の撮像）により求めることができる。決定したαとβの値は図６に示す撮影条件設定画面において、伸縮を伴う線形変形の動きモデルに従う動きの補正を指示するLinear(SI)ボタンの操作とともに線形変形を表す１次式の１次係数および０次係数として任意に設定することができる。
【０１０９】
そして、伸縮の補正のみならず、βによる平行移動の補正も式（１）に示す位相演算により実施することができる。このように、動きによる伸縮と平行移動の補正をイメージング信号に対して行うことが可能である。そして、補正後のイメージング信号は、動き補正部４６から画像再構成部４７に与えられる。
【０１１０】
画像再構成部４７は、動き補正部４６から受けた補正後のイメージング信号に２次元または３次元のフーリエ変換処理等の画像再構成処理を施すことにより、実空間データである被検体Ｐの画像データを作成する機能と、作成した画像データに必要な画像処理を施して表示装置３４に与える機能を有する。画像処理としては、ＭＩＰ（Maximum Intensity Projection）処理等の処理が挙げられる。
【０１１１】
次に磁気共鳴イメージング装置２０の動作および作用について説明する。
【０１１２】
図１４は、図１に示す磁気共鳴イメージング装置２０により被検体Ｐの心臓の血管像を撮像する際の手順を示すフローチャートであり、図中Ｓに数字を付した符号はフローチャートの各ステップを示す。
【０１１３】
ステップＳ１において、イメージングスラブに含まれる動き量の検出対象となる部位から動き信号が取得される。また、ステップＳ１とほぼ同時にステップＳ２において、イメージングの対象となる部位を含むイメージングスラブからイメージング用のＮＭＲ信号（イメージング信号）が取得される。このイメージング信号の取得は、動き信号の取得と時間的に極近いタイミングで実行される。
【０１１４】
そのために、予め撮影条件設定部４０が表示装置３４に画面情報を与えると、図６に示すような撮影条件設定画面が表示装置３４に表示される。ユーザが入力装置３３の操作により動き補正機能をオンにして各種補正条件を設定すると、撮影条件設定部４０は設定された撮影条件に従って、図３に示すような励起スラブを設定し、図４および図５または図７に示すようなパルスシーケンスを生成する。そして、撮影条件設定部４０は生成したパルスシーケンスをシーケンスコントローラ制御部４１に与える。
【０１１５】
シーケンスコントローラ制御部４１は、入力装置３３からの撮像開始指示に従って、撮影条件設定部４０から取得したパルスシーケンスをシーケンスコントローラ３１に与える。そうすると、シーケンスコントローラ３１は、パルスシーケンスに従って制御パルスを傾斜磁場電源２７、送信器２９および受信器３０に与える。このため、傾斜磁場電源２７のＸ軸傾斜磁場電源２７ｘ、Ｙ軸傾斜磁場電源２７ｙおよびＺ軸傾斜磁場電源２７ｚからＸ軸傾斜磁場コイル２３ｘ、Ｙ軸傾斜磁場コイル２３ｙおよびＺ軸傾斜磁場コイル２３ｚに電流が供給されて、撮像領域にそれぞれＸ軸方向の傾斜磁場Ｇｘ、Ｙ軸方向の傾斜磁場Ｇｙ、Ｚ軸方向の傾斜磁場Ｇｚが形成される。また、送信器２９からＲＦ信号がＲＦコイル２４に与えられ、ＲＦコイル２４は被検体ＰにＲＦ信号を送信する。
【０１１６】
そして、被検体Ｐ内部の原子核スピンの核磁気共鳴により発生したＮＭＲ信号が、ＲＦコイル２４により受信されて受信器３０に与えられる。受信器３０は、ＮＭＲ信号の検波およびＡ／Ｄ変換等の所要の信号処理により生データを生成し、生成した生データをシーケンスコントローラ３１に与える。
【０１１７】
ここで、パルスシーケンスには、イメージング用のデータ収集に先立って動き信号の収集用のシーケンスが設定されているため、イメージング信号として用いられる生データのみならず動き信号もシーケンスコントローラ３１に与えられる。シーケンスコントローラ３１は、収集されたイメージング信号および動き信号をシーケンスコントローラ制御部４１に与える。
【０１１８】
そして動き信号取得部４２は、シーケンスコントローラ制御部４１から動き信号を取得し、取得した動き信号を動き信号取得部４２内に形成されたｋ空間に配置する。また、イメージング信号取得部４３は、シーケンスコントローラ制御部４１からイメージング信号を取得し、取得したイメージング信号をイメージング信号取得部４３内に形成されたｋ空間に配置する。
【０１１９】
尚、イメージング信号および動き信号の収集は、ＥＣＧユニット３８において取得されたＥＣＧ信号およびパルスシーケンスに従って心電同期下で行われる。
【０１２０】
次に、ステップＳ３において、動き信号成分分離部４４は、動き信号取得部４２から動き信号を読み込んで、概ね動きを反映した信号成分と動きを反映していない成分とを分離する。そのために、動き信号成分分離部４４は、動き信号の画像再構成処理を実行し、図１０に示すようなエンコード量に応じた数に分割された複数の領域におけるエンコード方向のプロファイルデータを得る。そして、動き信号成分分離部４４は、例えば全ての領域のプロファイルデータを互いに比較し、変化が最も大きいプロファイルを動き反映成分として分離する。動き信号成分分離部４４によって得られた図１１に示すような動き反映成分は、動き量決定部４５に与えられる。
【０１２１】
次に、ステップＳ４において、動き量決定部４５は、動き信号成分分離部４４から受けた動き反映成分に基づいて動き量を決定する。具体的には図１２に示すような手順で、基準となるプロファイルを決定し、基準プロファイルの微分値と動き量の算出対象となるタイミングにおけるプロファイルの微分値との相互相関スペクトルを計算する。そして、相互相関スペクトルのピークの位置ずれ量を動き量として求める。動き量決定部４５は、決定した動き量を動き補正部４６に与える。
【０１２２】
次に、ステップＳ５において、動き補正部４６は、動き量決定部４５から動き量を取得する一方、イメージング信号取得部４３からイメージング信号を取得し、動き量に基づいてイメージング信号を補正する。例えば、動き補正部４６は、図１３に示すような手順でリードアウト方向の位相が動き量Δｄに比例する１次分布を有する位相シフト関数とリードアウト方向のイメージング信号との積をとる。すなわち、式（１）に示す変換により、動き補正部４６は、イメージング信号に対して平行移動の動き補正を実行する。
【０１２３】
また、例えば図６に示す撮影条件設定画面においてLinear(SI)ボタンが押され、伸縮の補正も指示されている場合には、線形の動きモデルを表す１次式の０次係数βと、１次係数αを用いて平行移動に加えて伸縮の補正も実行する。このイメージング信号に対する伸縮の補正は、式（２−２）に基いて１次係数αを用いた補間処理により行うことができる。
【０１２４】
そして、動き補正部４６は、動き補正後のイメージング信号を画像再構成部４７に与える。
【０１２５】
次に、ステップＳ６において、画像再構成部４７は、動き補正部４６から受けた補正後のイメージング信号に２次元または３次元のフーリエ変換処理等の画像再構成処理を施すことにより、実空間データである被検体Ｐの画像データを作成する。また、画像再構成部４７は、作成した画像データにＭＩＰ処理等の画像処理を施して表示装置３４に与える。この結果、表示装置３４には、ダミーショットにおいて取得した動き信号を用いて動き補正を実施することによって得られた被検体Ｐの画像が表示される。
【０１２６】
以上のような磁気共鳴イメージング装置２０によれば、動き信号がイメージング用のシーケンスと時間的にできる限り近くなるように設定されたダミーショットにおいて取得されるため動き信号の検出タイミングをイメージング用のデータの収集タイミングとほぼ同時とみなすことができる。また、磁気共鳴イメージング装置２０によれば、動き信号の収集対象となる心臓等の器官を含むスラブを励起することによって、動き信号を直接的に取得することができる。
【０１２７】
加えて、磁気共鳴イメージング装置２０によれば、イメージング用のデータとは別に動き量の観測に必要な範囲の十分な動き信号を心拍ごとに収集できるように構成されているため、同一の部位からの動き信号を異なるタイミングで収集することができる。このため、磁気共鳴イメージング装置２０では、同一の部位からの動き信号を用いてより精度よく動き量を検出し、検出した動き量を用いてイメージング信号の動き補正を実施することが可能である。そして、磁気共鳴イメージング装置２０では、ボケやゴーストの発生を低減した良好な画像を得ることができる。
【０１２８】
また、磁気共鳴イメージング装置２０では、複数の領域ごとに動き信号を異なるタイミングで収集することができるため、検出した動き信号から動きを反映した信号成分を選択的に抽出して動き補正に用いることがきる。これにより、動かない部位の影響を低減させて、より精度よく動き補正した画像を得ることができる。また、動き補正に伴う処理量の増加を抑制することもできる。
【０１２９】
さらに、ダミーショットにおいて２軸方向にエンコードして動き信号を収集するようにすれば、空間的な動き情報を取得することが可能であり、加えて動きの大きな方向をリードアウト方向とすれば、より少ないデータ収集量で精度よく動き情報を得ることができる。
【０１３０】
次に、動き信号取得部４２において取得される動き信号の変形例について説明する。
【０１３１】
図１５は、図２に示す動き信号取得部４２に形成されたｋ空間への動き信号の配置方法の変形例について説明する図である。
【０１３２】
図１５に示すように動き信号取得部４２において取得される動き信号の一部をイメージング信号で代用することもできる。換言すれば、動き信号取得部４２が、イメージング信号の一部を取得し、取得したイメージング信号の一部を動き信号として利用することができる。
【０１３３】
図１５において四角印は、ダミーショットにより取得された動き信号を示し、丸印は動き信号として代用されるイメージング信号を示す。ｋ空間の中心に近い部分の動き信号は、空間周波数が小さく大きい構造物の動き信号であることから精度が要求される場合が多い。そこで、ｋ空間の中心に近い部分の動き信号は、ダミーショットにより取得し、残りの部分はイメージング信号で代用する。
【０１３４】
ダミーショットは、各心拍（隣接するＲ波間）において印加されるため、動き信号は心拍ごとに毎回更新されることとなる。一方、代用されるイメージング信号は、セグメント撮影により収集されるため、セグメント撮影の進行に伴って次第に得られていくこととなる。従って、代用されるイメージング信号は常に一定値となるため動き信号の一部が更新されないこととなる。しかし、ｋ空間から離れた部分の動き信号をイメージング信号で代用する場合には、細かい構造物からの動き信号が更新されないに過ぎない。従って大きい構造物からの動き信号の検出が要求されている場合には、細かい構造物からの動き信号が更新されないとしてもその影響が無視できる場合があると考えられる。
【０１３５】
一方で、動き信号のデータが無い部分が存在するということはｋ空間データにマスク処理を施した場合と等価であることから、動き信号のデータ数が少ない状態で画像を再構成させると近隣の他のピクセルに含まれる物体からの情報がアーチファクトとして入り込む恐れがある。そこで、イメージング信号を動き信号として代用すれば、動き信号のデータが存在しない場合に比べて、アーチファクトの発生を低減させて動き量を精度よく求めることができる。
【０１３６】
このように動き信号取得部４２がシーケンスコントローラ制御部４１からイメージング信号を動き信号の一部として代用するために取得するように構成すれば、動き信号の収集に要する時間を実質的に減らし、動き信号の収集時間効率を向上させることができる。このため、セグメント撮影におけるパルスシーケンス設計の自由度を向上させることができる。
【０１３７】
尚、小さい構造物からの動き信号の検出が要求されている場合には、ｋ空間から構造物の大きさに応じて離れた部分からの動き信号をダミーショットにおいて収集し、他の部分についてはイメージング信号を動き信号として代用すればよい。すなわち、ｋ空間の特定の部分のみから動き信号をダミーショットにおいて収集し、心拍ごとに更新されるようにすれば、所望の大きさの構造物からの動き信号を選択的かつ短時間で収集して動き量を求めることができる。
【０１３８】
このような動き信号の一部をイメージング信号で代用する動き補正機能は補正モードとして選択できるようにすることができる。例えば、表示装置３４に表示される撮影条件設定画面にイメージング信号の代用を伴う動き補正の機能のオンオフを切換えるボタンを表示させてユーザが任意に補正モードを切換えることができるようにすることができる。
【０１３９】
次に、動き信号成分分離部４４における動き信号の分離方法の変形例について説明する。
【０１４０】
図１６は、図２に示す動き信号成分分離部４４における動き信号の分離方法の変形例について説明するフローチャートであり、図中Ｓに数字を付した符号はフローチャートの各ステップを示す。また、図１７は、図１６に示す画像再構成処理により形成される領域の一例を示す図、図１８は、図１６に示す動き部マスクの概念図である。
【０１４１】
図１６のステップＳ１０において、前述したように動き信号成分分離部４４は、動き信号取得部４２からｋ空間に配置された動き信号を取得し、動き信号の画像再構成処理を実行する。そうすると、図１７に示すようにＰＥ方向およびＳＥ方向に分割されたエンコード量に応じた数の各領域におけるリードアウト方向のプロファイルデータを得ることができる。
【０１４２】
次に、ステップＳ１１において、動き信号成分分離部４４は、各領域のプロファイルデータに基いて、動きの大きさに応じた重みを有する動き部マスクを作成する。すなわち図１６に示すように、ＰＥ方向およびＳＥ方向の一方または双方に異なる重みをもった動き部マスクが動き信号成分分離部４４により作成される。図１６はＰＥ方向のみに異なる重みをもつ動き部マスクの例を示すがＳＥ方向に異なる重みを設定してもよい。
【０１４３】
動き部マスクの重みは、動きの大きい部位（この例では心臓）を含むピクセルで大きく、逆に、動きの小さい部位や信号の無い部分（この例では胸壁など）を含むピクセルで小さくなるように設定される。各ピクセルにおける動きの大きさは、各プロファイルデータを参照して得ることができる。
【０１４４】
次に、ステップＳ１２において、動き信号成分分離部４４は、動き信号の画像再構成処理によって得られた画像再構成データに動き部マスクを掛けることによって、動き信号の再構成データに対してＰＥ方向およびＳＥ方向への重み付け処理を実行する。
【０１４５】
次に、ステップＳ１３において、動き信号成分分離部４４は、重み付け処理後における再構成データに対してＰＥ方向およびＳＥ方向のみに逆再構成処理を施す。
【０１４６】
次に、ステップＳ１４において、動き信号成分分離部４４は、ＰＥ方向およびＳＥ方向のみｋ空間データとなったデータをＰＥ方向およびＳＥ方向に加算する。
【０１４７】
この結果、図１１に示すようなリードアウト方向の動き反映成分のプロファイルデータを得ることができる。これは、動きを反映した信号成分を分離したことに相当する。このように、エンコード方向への重み付けを伴う信号の加算処理によって動きを反映した信号成分を求めるようにすれば、動き反映成分の測定のＳＮ比を大きくし、動き量の検出精度を向上させることができる。
【０１４８】
尚、動き信号の分離方法についても補正モードしてユーザが選択できるようにすることができる。
【０１４９】
図１９は本発明に係る磁気共鳴イメージング装置の第２の実施形態を示す構成図である。
【０１５０】
図１９に示された、磁気共鳴イメージング装置２０Ａでは、撮影条件設定部４０の機能および動き信号成分分離部４４に代えてプロファイル作成部５０を設けた構成が図１に示す磁気共鳴イメージング装置２０と相違する。他の構成および作用については図１に示す磁気共鳴イメージング装置２０と実質的に異ならないためコンピュータ２０の機能ブロック図のみ図示し、同一の構成については同符号を付して説明を省略する。
【０１５１】
磁気共鳴イメージング装置２０Ａの撮影条件設定部４０には、イメージング用のデータ収集と十分に近いタイミングにおいて印加されるダミーショットにおいて、動きを反映した成分を主成分とする動き信号を収集することが可能なパルスシーケンスを設定する機能が備えられる。
【０１５２】
図２０は、図１９に示す磁気共鳴イメージング装置２０Ａの撮影条件設定部４０により作成されるパルスシーケンスの一例を示す図である。
【０１５３】
図２０に示すように撮影条件設定部４０は、例えばイメージング用のシーケンスであるパートＢに続いてダミーショット用のシーケンスであるパートＣを作成する。パートＢは非常に短い繰り返し時間ＴＲにてＲＦ信号を印加し、位相エンコードパルスＰＥ（Ｂ）を順次変えながら３次元イメージング信号ＡＣＱ（Ｂ）を収集するセグメント撮影によるシーケンスである。パートＢでは、スライス方向が心臓を含むサジタル面方向に設定される。
【０１５４】
また、パートＣは、動きを反映した成分を主成分とする動き信号を収集するためのシーケンスである。そのために、パートＣのスライスエンコード方向は、パートＢのスライスエンコード方向と異なる方向とされ、パートＣでは、スライス方向が心臓を含むコロナル面方向に設定される。さらに、パートＣは、スライス傾斜磁場パルスＰｃの前後にスポイラパルスが印加されるシーケンスとされている。そして、このように構成されたパートＣによって動きを反映した成分を主成分とする動き信号ＡＣＱ（Ｃ）が収集される。
【０１５５】
図２１は、図２０に示すパルスシーケンスにより励起されるスラブの位置を示す図である。
【０１５６】
図２１に示すように、図２０に示すパルスシーケンスのパートＢにおけるスライス傾斜磁場パルスＧｓｓによって実線で示すスラブＢが励起される。続いて、パートＣのスライス傾斜磁場パルスＰｃによって点線で示すスラブＣが励起される。そして、パートＣでは、パートＢおよびパートＣの双方のスライス傾斜磁場パルスＧｓｓ、Ｐｃによって励起された点線と実線とで囲まれた矩形領域から動き信号ＡＣＱ（Ｃ）が収集される。
【０１５７】
そして、パートＣのスライス傾斜磁場パルスＰｃを制御し、励起されるスラブＣの位置を調整することによって、心臓等の動きのある部位が動きのない部位に対して選択的に矩形領域に含まれるようにすることができる。このように動きのある部位が矩形領域に含まれるようにパートＣのスライス傾斜磁場パルスＰｃを制御すれば、動きを反映した成分を主成分とする動き信号ＡＣＱ（Ｃ）を収集することが可能になる。スラブＣの位置については経験的なデータから求める方法や、予め収集した位置ごとの動き情報から推定する方法などが挙げられる。
【０１５８】
一方、プロファイル作成部５０は、撮影条件設定部４０において設定されたパルスシーケンスによるデータ収集によって得られた動き信号を動き信号取得部４２から取得する機能と、取得した動き信号に画像再構成処理を施してリードアウト方向のプロファイルデータを求める機能とを有する。さらに、プロファイル作成部５０は、求めたプロファイルデータを動き反映成分として動き量決定部４５に与えるように構成される。
【０１５９】
そして、磁気共鳴イメージング装置２０Ａでは、撮影条件設定部４０により心臓等の動きのある部位を含むスラブが動き信号を収集するためのシーケンスにおいて励起されるように図２０のようなパルスシーケンスが作成される。そして、イメージング信号の収集に続いて収集された動き信号がプロファイル作成部５０に与えられる。プロファイル作成部５０に与えられた動き信号は動きを反映した成分を主成分としている。そこで、プロファイル作成部５０は、動き信号に画像再構成処理を施してリードアウト方向のプロファイルデータを求める。そして、プロファイル作成部５０は、求めたプロファイルデータを動き反映成分として動き量決定部４５に与える。さらに、図１に示す磁気共鳴イメージング装置２０の場合と同様にイメージング信号の動き補正が実施され、動き補正後の画像を得ることができる。
【０１６０】
以上の各実施形態における磁気共鳴イメージング装置２０、２０Ａの一部の構成要素や機能を省略してもよく、逆に双方の機能を組み合わせてもよい。例えば、図１に示す磁気共鳴イメージング装置２０の動き信号成分分離部４４を省略し、全ての動き信号のプロファイルを動き反映成分として利用することにより動き補正を行うように構成してもよい。また、図１９に示す磁気共鳴イメージング装置２０Ａに動き信号成分分離部４４を設け、動きを反映した成分を主成分とする動き信号から、更に動きを反映した成分を分離するように構成してもよい。
【０１６１】
また、上述した磁気共鳴イメージング装置２０、２０Ａでは、動き量に基づいてイメージング信号の補正処理を行う例について述べたが、補正処理を行わずに特定の範囲のイメージング信号を画像再構成用に選択するように磁気共鳴イメージング装置２０、２０Ａを構成してもよい。この場合には、例えばコンピュータ３２に動き補正部４６の代わりにイメージング信号選択部が設けられる。
【０１６２】
イメージング信号選択部は、動き量決定部４５において決定した動き量に基づいてイメージング信号取得部４３から取得したイメージング信号のうち特定の範囲のイメージング信号を選択する。イメージング信号の選択方法としては、動き量に応じてgating windowを作成し、gating windowを用いてイメージング信号から特定の範囲のイメージング信号が選択する方法が挙げられる。例えば、動き量がある値を超えない範囲におけるイメージング信号が選択されるようにgating windowが作成される。このように作成されたgating windowにより、動きの大きいイメージング信号を画像再構成用のイメージング信号から取り除くことができる。
【０１６３】
そして、画像再構成部４７は、イメージング信号選択部によって選択されたイメージング信号を用いて画像を再構成する。このようにイメージング信号の取捨選択によって、動きの影響がより小さく、基準となる画像により近い画像を得ることが可能となる。
【図面の簡単な説明】
【０１６４】
【図１】本発明に係る磁気共鳴イメージング装置の第１の実施形態を示す構成図。
【図２】図１に示すコンピュータの機能ブロック図。
【図３】図２に示す撮影条件設定部により設定される撮影領域の一例を示す図。
【図４】図３に示す心臓を含む撮影領域を撮像するために生成されるパルスシーケンスの一例を示す図。
【図５】図４に示すパルスシーケンスの具体例を示す図。
【図６】図１に示す表示装置に表示される撮影条件設定画面の一例を示す図。
【図７】図２に示す撮影条件設定部において、ダミーショットにより生じる磁化の振動およびイメージング用のデータ収集に対する磁化の振動の影響を低減させるために設定されたパルスシーケンスの具体例を示す図。
【図８】図２に示す動き信号取得部のｋ空間に配置された動き信号の一例を示す図。
【図９】図２に示すイメージング信号取得部のｋ空間に配置されたイメージング信号の一例を示す図。
【図１０】図２に示す動き信号成分分離部により分離された動き信号の領域を示す図。
【図１１】図１０に示す心臓付近の領域に対応するプロファイルの一例を示す図。
【図１２】図２に示す動き量決定部による動き量の決定方法を説明する図。
【図１３】図２に示す動き補正部によるイメージング信号の補正方法を説明する図。
【図１４】図１に示す磁気共鳴イメージング装置により被検体Ｐの心臓の血管像を撮像する際の手順を示すフローチャート。
【図１５】図２に示す動き信号取得部に形成されたｋ空間への動き信号の配置方法の変形例について説明する図。
【図１６】図２に示す動き信号成分分離部における動き信号の分離方法の変形例について説明するフローチャート。
【図１７】図１６に示す画像再構成処理により形成される領域の一例を示す図。
【図１８】図１６に示す動き部マスクの概念図。
【図１９】本発明に係る磁気共鳴イメージング装置の第２の実施形態を示す構成図。
【図２０】図１９に示す磁気共鳴イメージング装置の撮影条件設定部により作成されるパルスシーケンスの一例を示す図。
【図２１】図２０に示すパルスシーケンスにより励起されるスラブの位置を示す図。
【図２２】従来の磁気共鳴イメージング装置において、横隔膜の動きを検出するためにＮＭＲ信号を取得する領域を説明する図。
【図２３】図２２に示す従来の動き検出用のデータとイメージング用のデータとを収集するための撮影条件を規定するパルスシーケンスを示す図。
【符号の説明】
【０１６５】
２０、２０Ａ  磁気共鳴イメージング装置
２１  静磁場用磁石
２２  シムコイル
２３  傾斜磁場コイルユニット
２４  ＲＦコイル
２５  制御系
２６  静磁場電源
２７  傾斜磁場電源
２８  シムコイル電源
２９  送信器
３０  受信器
３１  シーケンスコントローラ
３２  コンピュータ
３３  入力装置
３４  表示装置
３５  演算装置
３６  記憶装置
３７  寝台
３８  ＥＣＧユニット
４０  撮影条件設定部
４１  シーケンスコントローラ制御部
４２  動き信号取得部
４３  イメージング信号取得部
４４  動き信号成分分離部
４５  動き量決定部
４６  動き補正部
４７  画像再構成部
５０  プロファイル作成部
Ｐ  被検体
【図１】
2007229443.tif 000003
【図２】
2007229443.tif 000004
【図４】
2007229443.tif 000005
【図５】
2007229443.tif 000006
【図６】
2007229443.tif 000007
【図７】
2007229443.tif 000008
【図８】
2007229443.tif 000009
【図９】
2007229443.tif 000010
【図１１】
2007229443.tif 000011
【図１２】
2007229443.tif 000012
【図１３】
2007229443.tif 000013
【図１４】
2007229443.tif 000014
【図１５】
2007229443.tif 000015
【図１６】
2007229443.tif 000016
【図１８】
2007229443.tif 000017
【図１９】
2007229443.tif 000018
【図２０】
2007229443.tif 000019
【図２３】
2007229443.tif 000020
【図３】
2007229443.tif 000021
【図１０】
2007229443.tif 000022
【図１７】
2007229443.tif 000023
【図２１】
2007229443.tif 000024
【図２２】
2007229443.tif 000025